(57)【特許請求の範囲】
【請求項１】
上下方向に延びる正四角柱状の基部と、
前記基部の四周側面の各々における幅方向両端部にそれぞれ一体に突設され、互いに隣り合って上下方向に延びる断面矩形状の突条部からなる一対の係合部と、
を備えた舗装ブロックであって、
前記各係合部の先端部において隣り合う他の係合部と反対側に位置する外側隅角部には、前記基部の側面に対して４５度の角度で傾斜する傾斜面が形成されており、
前記舗装ブロックの平面視において、前記基部の角部を挟んで時計回りに設けられた前記係合部を第１及び第２係合部としたとき、前記舗装ブロックの一対を、それらのうちの一方の前記第１係合部の前記傾斜面が、他方の前記第２係合部の前記傾斜面に接触するとともに、前記一方の前記第２係合部の前記傾斜面が、前記他方の前記第１係合部の前記傾斜面に接触するように配置することができるように構成されていることを特徴とする舗装ブロック。
【請求項２】
請求項１において、
前記基部の各側面の両係合部間には、該両係合部同士を連結して係合部を前記基部の周方向への荷重に対して補強する補強部が一体に突設されていることを特徴とする舗装ブロック。
【請求項３】
請求項１又は２において、
前記各係合部は、前記基部の上面よりも低い頂面を有することを特徴とする舗装ブロック。
【請求項４】
請求項１〜３のいずれか１つにおいて、
前記各係合部の先端面には、該係合部を他のブロックの係合部と突き合わせて配置したときに、互いに隣接状態で係合する膨出部が一体に設けられていることを特徴とする舗装ブロック。
【発明の詳細な説明】
【技術分野】
【０００１】
本発明は、道路や駐車場などの路面を舗装するための用途に用いられる舗装ブロックに関する。
【背景技術】
【０００２】
近年、道路や広場、駐車場等の舗装において、例えば特許文献１に開示されているような、芝生等の植生とともに敷設するコンクリート製の植生用舗装ブロックが用いられている。これら植生用舗装ブロックは、植生などの植物やこれに付着する土壌を通じて地盤へ雨水を浸透させて地表の乾燥を防止するため、地表面の温度を低下させることができるといった環境面での利点だけでなく、美観の面でも良いことから、注目されている。
【先行技術文献】
【特許文献】
【０００３】
【特許文献１】特開２０１４−０２０１７５号公報
【発明の概要】
【発明が解決しようとする課題】
【０００４】
ところで、このような植生用舗装ブロックを、例えば住居の駐車場に敷設する場合などにおいては、より美観を向上させたいという要望がある。
【０００５】
しかし、特許文献１に開示されているような舗装ブロックでは、敷設の態様が単調なものとなってしまい、舗装ブロックの配置によって形成される模様をバリエーションに富んだ美観の高いものとすることができない。
【０００６】
本発明は、このような事情に鑑みてなされたものであり、その目的とするところは、舗装ブロックの構造に工夫を加えることにより、路面に敷設したときにバリエーションに富んだより美観の高い模様を実現できるようにしようとすることにある。
【課題を解決するための手段】
【０００７】
前記の目的を達成するために、本発明では、舗装ブロックの側面に突設されて他のブロックと係合させるための係合部の先端隅角部に、所定の角度で傾斜する斜面を形成することで、舗装ブロック同士を係合部の先端面と斜面とのいずれの間でも係合できるようにした。
【０００８】
具体的には、第１の発明は、上下方向に延びる正四角柱状の基部と、前記基部の四周側面の各々における幅方向両端部にそれぞれ一体に突設され、互いに隣り合って上下方向に延びる断面矩形状の突条部からなる一対の係合部とを備えた舗装ブロックであって、前記各係合部の先端部において隣り合う他の係合部と反対側に位置する外側隅角部には、前記基部の側面に対して４５度の角度で傾斜する傾斜面が形成されており、前記舗装ブロックの平面視において、前記基部の角部を挟んで時計回りに設けられた前記係合部を第１及び第２係合部としたとき、前記舗装ブロックの一対を、それらのうちの一方の前記第１係合部の前記傾斜面が、他方の前記第２係合部の前記傾斜面に接触するとともに、前記一方の前記第２係合部の前記傾斜面が、前記他方の前記第１係合部の前記傾斜面に接触するように配置することができるように構成されていることを特徴とする。
【０００９】
上記構成とすることで、基部側面の幅方向両端部に突設された係合部の先端部における外側隅角部に傾斜面が形成されているため、舗装ブロックを敷設するときに、各々の係合部の先端面同士を係合させるだけでなく、先端面と斜面とを係合するように組み合わせて配置することが可能となる。これにより、係合部の先端面同士のみを係合させる場合と比べて多様な配置で舗装ブロックを敷設することが可能となり、その分、舗装路面の美観を向上させることができる。
【００１０】
第２の発明は、第１の発明において、前記基部の各側面の両係合部間には、該両係合部同士を連結して係合部を前記基部の周方向への荷重に対して補強する補強部が一体に突設されていることを特徴とする。
【００１１】
上記構成とすることで、路面に敷設された舗装ブロックの係合部に対して基部の周方向への荷重が加わったときに、該係合部が破損しないよう補強部で支持することができる。これにより、舗装ブロックの強度を維持した上で、その敷設状態の美観を確実に得ることが可能となる。
【００１２】
第３の発明は、第１又は第２の発明において、前記各係合部は、前記基部の上面よりも低い頂面を有することを特徴とする。
【００１３】
上記構成とすることで、舗装ブロックを敷設したときに、係合部の頂面から基部の上面の高さまでに空間が形成されることとなる。この空間に植生を埋め込むことが可能となり、植生舗装ブロックとしての機能を確保することができる。
【００１４】
第４の発明は、第１〜第３の発明のいずれか１つにおいて、前記各係合部の先端面には、該係合部を他のブロックの係合部と突き合わせて配置したときに、互いに隣接状態で係合する膨出部が一体に設けられていることを特徴とする。
【００１５】
上記構成とすることで、係合部同士を突き合わせて先端面同士が接触するように舗装ブロックを敷設したときに、膨出部が互いに隣接状態で係合することとなり、舗装ブロックのズレやゆがみが発生しにくい舗装路面を容易に形成することができる。
【発明の効果】
【００１６】
以上説明したように、本発明によれば、舗装ブロックの基部側面の幅方向両端部に突設された他の舗装ブロックと係合するための係合部の先端に傾斜面を形成したことにより、舗装ブロック同士を係合部の先端面と斜面とのいずれの面でも係合することが可能となり、舗装ブロックを配置する際に様々な模様を形成するように敷設することができる。これにより舗装路面の美観を向上させることができる。
【図面の簡単な説明】
【００１７】
【図１】本発明の実施形態１に係る舗装ブロックを用いた舗装路面の例を示す図である。
【図２】舗装ブロックの斜視図である。
【図３】舗装ブロックの平面図である。
【図４】敷設時における舗装ブロックの第１配置例を示す図である。
【図５】舗装ブロックの第２配置例を示す図４相当図である。
【図６】舗装ブロックの第３配置例を示す図４相当図である。
【図７】舗装ブロックの第４配置例を示す図４相当図である。
【図８】舗装ブロックの第５配置例を示す図４相当図である。
【図９】実施形態２を示す図３相当図である。
【発明を実施するための形態】
【００１８】
以下、本発明の実施形態を図面に基づいて詳細に説明する。なお、以下の実施形態の説明は本質的に例示に過ぎず、本発明、その適用物或いはその用途を制限することを意図するものではない。
【００１９】
（実施形態１）
図１は、本発明の実施形態１に係る舗装ブロックＳを使用した舗装路面を示している。この舗装路面は複数配置された舗装ブロックＳ，Ｓ，…の間に、植生Ｂ（土壌及び植物）が埋め込まれた構成となっており、舗装ブロックＳの上面及び植生Ｂが地表に現れた状態で敷設されている。
【００２０】
舗装ブロックＳは、例えばコンクリートなどの人造石で製造することができる中実状の構造物であり、図２に示すように、上下方向に延びる基部１と、基部１の四周側面の各々に該基部１と一体に突設された一対の係合部２，２とを備える。
【００２１】
基部１は略立方体（正四角柱形状）のもので、正方形状の上面１ａと、正方形状の下面（図示せず）とを備え、該上面１ａ及び下面の間の四周に４つの側面を有している。基部１の寸法としては、例えば高さを１２ｃｍ程度、各側面の水平方向の幅を１０ｃｍ程度とすることができる。
【００２２】
一対の係合部２，２は、基部１の各側面において該側面の左右幅方向両端部から互いに隣り合って上下方向に延びる断面矩形状の突条物であり、その厚さが例えば基部１側面の幅の半分ほどで、基部１側面の幅方向と直交する方向（突出方向）に突出している。各係合部２は、基部１に連なりかつ突出方向に向かって高さが低くなる斜面３ａを上面に有する根元部３と、該根元部３の先端側と連なりかつ一様な高さの上面３ａを有する先端部４とで構成されている。ここで、根元部３は突出するに連れて高さが低くなる斜面３ａを上面に備えているため、先端部４の頂面４ａは基部１の上面１ａよりも低くなっている。ここで、先端部４の頂面４ａは基部１の上面１ａと比較して３／４程度の高さとすることができる。
【００２３】
基部１の各側面の両係合部２，２の間には補強部９が基部１及び両係合部２，２と一体に突設され、この補強部９は、該側面から突出方向に向かって下側に向かうように傾斜する上面（又は側面）を、舗装ブロックＳの底面（図示せず）まで続くように有している。この補強部９により両係合部２，２同士が連結された構成となっており、補強部９は舗装ブロックＳの底面において、両係合部２，２の突出長さと比べておよそ１／３程度の長さで突出するように設けられている。
【００２４】
そして、本発明の特徴として、基部１の四周側面に形成された１対の係合部２，２の各々の先端部４において、隣り合う他の係合部２と反対側に位置する外側隅角部に、基部１の側面に対して４５度の角度で傾斜する傾斜面７が形成されている。これにより、係合部２の先端部４はその先端の外側（隣り合う他の係合部と反対側）に傾斜面７を備え、傾斜面７以外の内側に先端面５を備えている。
【００２５】
更に、この先端面５において、舗装ブロックＳを平面視で見たときの時計回り方向側には、突出方向に円弧状に膨らんだ膨出部６が設けられており、例えば図４に示すように、係合部２を他のブロックＳの係合部２と突き合わせて配置したときに、各々の膨出部６，６が互いに隣接状態で係合するようになっている。
【００２６】
以下に、本実施形態の舗装ブロックＳを路面に敷設するときの配置方法について説明する。
【００２７】
図４に示す例では、基部１の側面の一対の係合部２，２を他のブロックＳの係合部２，２と突き合わせる形で、舗装ブロックＳ，Ｓ，…が配置されている。この後、基部１の上面１ａ以外のスペースには植生Ｂが埋め込まれるが、そのとき、係合部２が基部１の上面よりも低い頂面４ａを有しているため、植生Ｂを埋め込む空間を確保することができるようになっている。
【００２８】
ここで、隣接する両ブロックＳ，Ｓにおける係合部２，２の先端面５，５が互いに対向する形で配置され、先端面５，５の片側に設けられた膨出部６，６が互いに隣接状態で係合される。このため、舗装ブロックＳ，Ｓ，…に基部１の周方向の荷重が入力されてもズレやゆがみが発生しにくい頑丈な敷設をすることができる。更に、両係合部２，２間に補強部９が一体に設けられているため、基部１の周方向への荷重に対して両係合部２，２自体が破損しないように補強することができる。
【００２９】
図５に示す例では、隣接する両ブロックＳ，Ｓにおける係合部２，２の先端部４，４の傾斜面７，７同士が接触する形でブロックＳ，Ｓ，…が配置されている。基部１が平面視で正方形状であり、かつ各係合部２の先端部４の傾斜面７が基部１の側面と４５度の傾斜となっているため、このような配置が可能となっている。これにより、配置された舗装ブロックＳ，Ｓ，…がその各基部１の上面１ａを露出させて敷設されたときに、それら露出する上面１ａ，１ａ，…によって図４に示す例とは異なる模様を形成することが可能となり、美観を向上させることができる。
【００３０】
図６に示す例では、一部の舗装ブロックＳ，Ｓ，…については、隣接する両ブロックＳ，Ｓにおける基部１側面の一対の係合部２，２同士を突き合わせ、残りの舗装ブロックＳ，Ｓ，…については、隣接する両ブロックＳ，Ｓにおける係合部２，２の先端部４，４の傾斜面７，７同士を接触される形で配置されている。このような配置とすることで、配置された舗装ブロックＳ，Ｓ，…がその各基部１を露出させて敷設されたときに、それら露出する上面１ａ，１ａ，によって図４及び図５に示す例とは更に異なる模様を形成することが可能となり、美観を向上させることができる。
【００３１】
図７に示す例では、隣接する両ブロックＳ，Ｓにおける基部１側面の一対の係合部２，２同士を突き合わせて複数のブロックＳ，Ｓ，…を一方向に配置して列を形成した上で、異なる列に属するブロックＳ，Ｓについては、傾斜面７，７同士が接触するような形で配置している。このような配置とすることで、配置された舗装ブロックＳ，Ｓ，…がその各基部１を露出させて敷設されたときに、それら露出する上面１ａ，１ａ，によって図４〜図６に示す例とは更に異なる模様を形成することが可能となり、美観を向上させることができる。
【００３２】
図８に示す例では、隣接する両ブロックＳ，Ｓにおける係合部２，２の先端部４，４の傾斜面７，７同士が一対接触する形で複数のブロックＳ，Ｓ，…を一方向に配置して列を形成した上で、異なる列に属するブロックＳ，Ｓについても、傾斜面７，７同士が接触するような形で配置している。このような配置とすることで、配置された舗装ブロックＳ，Ｓ，…がその各基部１を露出させて敷設されたときに、それら露出する上面１ａ，１ａ，によって図４〜図７に示す例とは更に異なる模様を形成することが可能となり、美観を向上させることができる。
【００３３】
したがって、この実施形態においては、舗装ブロックＳの基部１側面に係合部２を突設し、その係合部２の先端部４における外側隅角部に傾斜面７を形成することで、隣接する両ブロックＳ，Ｓが係合部２，２の先端面５，５同士で接触する形で配置されるだけでなく、先端面５と斜面７とを接触させる形で配置することが可能となり、上記配置例だけでなく、それらにとどまらない多様な配置のバリエーションが可能となる。それにより、舗装路面の美観を向上させることができる。
【００３４】
（実施形態２）
図９は実施形態２に係る舗装ブロックＳを示している。なお、以下の実施形態では、図４と同じ部分については同じ符号を付してその詳細な説明を省略する。
【００３５】
図９に示すように、この実施形態では、舗装ブロックＳの基部１側面の一対の係合部２，２の間に突設された補強部９が、両側の係合部２，２と同様の１つの突条部９ａと、その両端に係合部２，２との間に設けられた２つの斜面部９ｂ，９ｂとを備える。ここで、突条部９ａは断面矩形状であり、傾斜面７を備えていない点を除けば、係合部２とほぼ同様の構造とすることができる。また、斜面部９ｂは実施形態１の補強部９とほぼ同様の構造とすることができ、この補強部９により係合部２，２が補強される構成となっている。その他の構成は実施形態１と同様である。
【００３６】
この場合、突条部９ａがその先端に膨出部９ｃを備えているため、隣接する両ブロックＳ，Ｓの係合部２，２同士を突き合わせる形で舗装ブロックＳ，Ｓ，…を配置したときに、突条部９ａについても膨出部９ｃが、隣接する他のブロックＳの膨出部９ｃと互いに隣接状態で係合することとなり、より頑丈に舗装ブロックＳ，Ｓ，…を敷設することが可能となる。この場合においても、上記実施形態１と同様の効果を得ることができる。
【００３７】
（他の実施形態）
なお、本発明は、上記各実施形態に限定されず、例えば係合部２の先端部４に設けられた傾斜面７は、基部１の側面に対して４５度以外の角度で形成することもできる。また、両係合部２，２間に形成される補強部９を複数の突条部９ａ，９ａ，…で構成することもできる。また、その反対に補強部９は必ずしも設けなくてもよい。更に、頂面４ａは突出するに連れて高さが低くなる斜面としてもよい。これらの場合においても、上記と同様の効果を得ることができる。
【産業上の利用可能性】
【００３８】
以上説明したように、本発明は、植生を植え込んだ舗装路面を構成する舗装ブロックに極めて有用である。
【符号の説明】
【００３９】
Ｓ    舗装ブロック
Ｂ    植生
１    基部
２    係合部
３    根元部
４    先端部
５    先端面
６    膨出部
７    傾斜面
９    補強部
【図１】
0006660220.tif 000002
【図２】
0006660220.tif 000003
【図３】
0006660220.tif 000004
【図４】
0006660220.tif 000005
【図５】
0006660220.tif 000006
【図６】
0006660220.tif 000007
【図７】
0006660220.tif 000008
【図８】
0006660220.tif 000009
【図９】
0006660220.tif 000010